(57)【要約】【課題】アダプターが動かないように混注部材に装着した状態で薬液が注入できることにより、操作が容易な混注部材、ニードルレスアダプター及び医療用具を提供すること。【解決手段】ポート（３）に、栓体（５）を装着し、栓体（５）にキャップ（１０）を被冠した混注部材（１）において、前記キャップ（１０）にアダプター（３１）の係合部（３６）が通過できる開口部（１１）を形成し、当該キャップ（１０）の天面部に、アダプター（３１）のリブ（３５）先端を固定できる係合部（１２）を形成した混注部材（１）。前記キャップ（１０）の天上壁（１４）に、アダプター（３１）の係合部（３６）を係止できるように形成した。【選択図】図１
2005224334.tif 000002
【特許請求の範囲】
【請求項１】
ポート（３）に、栓体（５）を装着し、栓体（５）にキャップ（１０）を被冠した混注部材（１）において、
前記キャップ（１０）にアダプター（３１）の係合部（３６）が通過できる開口部（１１）を形成し、
当該キャップ（１０）の天面部に、アダプター（３１）のリブ（３５）先端を固定できる係合部（１２）を形成した、ことを特徴とする混注部材（１）。
【請求項２】
キャップ（１０）の天上壁（１４）に、アダプター（３１）の係合部（３６）を係止できるように形成した、ことを特徴とする混注部材（１）。
【請求項３】
ロックタイプシリンジ（２１）とこれと着脱可能なアダプター（３１）とから構成され、
前記シリンジ（２１）は本体（２２）とロック部（２３）とから構成され、ロック部（２３）の内面には、アダプター（３１）の後方に形成された接続部（３４）に接続できる接続部（２４）が形成され、
前記アダプター（３１）は、本体（３２）の前方にルアー部（３３）が形成され、
本体（３２）の略中腹部ないし下部の間に、混注部材（１）に係合可能な係合部（３６）を形成した、ことを特徴とするニードルレスアダプター（２０）。
【請求項４】
請求項１ないし３に記載の混注部材（１）及び／又はアダプター（３１）もしくはニードルレスアダプター（２０）を含むことを特徴とする医療用具。
【発明の詳細な説明】
【技術分野】
【０００１】
本発明は、薬液等を注入する混注部材、ニードルレスアダプターの改良に関するもので、アダプターもしくはニードルレスアダプターを確実にポートに接続・固定できる混注部材とニードルレスアダプターに関する。本発明の混注部材とアダプターもしくはニードルレスアダプターは、血液回路、薬液容器、輸血・輸液セット等の医療用具に使用される。
【背景技術】
【０００２】
出願人は、特許文献１に、穿刺部材の基部下方に注入部（注入口ともいう）を突設し、当該注入部の上部に押圧部を形成し、当該押圧部の外周に凸部を形成し、前記基部の外周にリブを形成し、当該リブの上端部に鍔部を形成した穿刺部材（アダプターともいう）の発明と、筒体（ポートともいう）にスリットを形成した栓体を装着し、当該筒体の外周に冠着するキャップの上部内壁面に穿刺部材の凸部を嵌合できる凹部を形成した混注部材の発明を提案した。
【０００３】
これらの発明では、穿刺部材の凸部をキャップの上部内壁面の凹部に嵌合した後、回転させて、穿刺部材の凸部が抜けないようにするものであり、ある程度安定して、混注部材に固定することが可能であるが、回転させて、穿刺部材の凸部が抜けないようにするため、穿刺部材が使用中（薬液の混注時）に、回転しやすく、この場合、薬液の混注時等の作業が実施しにくい等の難点があった。
【０００４】
【特許文献１】特開２０００−２４５８５２号公報（図１から図１０参照）
【発明の開示】
【発明が解決しようとする課題】
【０００５】
本発明が解決しようとする問題点は、穿刺部材が使用中（薬液の混注時）に、回転しやすく、薬液の混注時等の作業が実施しにくい点である。
【課題を解決するための手段】
【０００６】
そこで本発明者は以上の課題を解決するために、鋭意検討を重ねた結果次の発明に到達した。
［１］本発明は、ポート（３）に、栓体（５）を装着し、栓体（５）にキャップ（１０）を被冠した混注部材（１）において、
前記キャップ（１０）にアダプター（３１）の係合部（３６）が通過できる開口部（１１）を形成し、
当該キャップ（１０）の天面部に、アダプター（３１）のリブ（３５）先端を固定できる係合部（１２）を形成した混注部材（１）を提供する。
［２］本発明は、キャップ（１０）の天上壁（１４）に、アダプター（３１）の係合部（３６）を係止できるように形成した混注部材（１）を提供する。
［３］本発明は、ロックタイプシリンジ（２１）とこれと着脱可能なアダプター（３１）とから構成され、
前記シリンジ（２１）は本体（２２）とロック部（２３）とから構成され、ロック部（２３）の内面には、アダプター（３１）の後方に形成された接続部（３４）に接続できる接続部（２４）が形成され、
前記アダプター（３１）は、本体（３２）の前方にルアー部（３３）が形成され、
本体（３２）の略中腹部ないし下部の間に、混注部材（１）に係合可能な係合部（３６）を形成したニードルレスアダプター（２０）を提供する。
［４］本発明は、［１］ないし［３］に記載の混注部材（１）及び／又はアダプター（３１）もしくはニードルレスアダプター（２０）を含む医療用具を提供する。
【発明の効果】
【０００７】
本発明の混注部材１は、アダプター３１のリブ３５先端部を、係合部１２に係合し、係合部３６を混注部材１の上部壁１４に係止することができる。これにより、アダプター３１を動かないように、混注部材１に装着した状態で、薬液を注入することができるので、操作が容易となる。
【発明を実施するための最良の形態】
【０００８】
図１は本発明の混注部材１の概略図（一部切欠断面図）、図２は図１の平面図、図３は図１の一部拡大図、図４は図２の一部拡大図、図５はアダプター１１の概略図（平面図）、図６は図５のＡ−Ａ線断面図［（Ａ）はシリンジ２１の概略図、（Ｂ）は（Ａ）の底面図、（Ｃ）はアダプター３１の概略図、（Ｄ）は（Ｃ）の底面図］、図７は図５の左側面図、図８はニードルレスアダプター２０の概略図、図９はニードルレスアダプター２０の組立図、図１０から図１３は混注部材１とニードルレスアダプター２０の使用状態図［（Ｂ）は（Ａ）の右側面図］である。
［混注部材１］
本発明の混注部材１は、ポート３に、栓体５を装着し、栓体５にキャップ１０を被冠したものであって、前記キャップ１０にアダプター３１の係合部３６が通過できる開口部１１を形成し、当該キャップ１０の天面部に、アダプター３１のリブ３５先端を固定できる係合部１２を形成したものである。
【０００９】
すなわちキャップ１０は図１から図４に例示するように、円筒状の側壁１３と板状の天上壁１４より構成され、側壁１３の天面に係合部１２が形成され、板状の天上壁１４に開口部１１が形成されている。
図４の例示では、係合部１２として、二個の突起Ｔを１８０°に対向させて一対形成し、これらの二個の突起Ｔの間の空間Ｓに、アダプター３１のリブ３５を、係合して固定するようにしている。係合部１２はアダプター３１のリブ３５を、係合して固定することができれば、形態は何でも良く、例えば、細長い溝等であっても良い。
また開口部１１は、長辺と短辺を有するいわゆる「略矩形状」として形成されているが、当該ポート３と接続されるアダプター３１の係合部３６が通過できる形態であれば何でも良く、例えば、略楕円状等であっても良い。
またポート３に装填される栓体５は、アダプター３１のルアー部３３（注入口３３）を挿入可能なスリット付きの栓体５であれば何でも良い。スリットの形態もルアー部３３（注入口３３）を挿入可能な形態（例えば縦断面の途中から形成されているものあるいは縦断面の上端から下端に亘って形成されたもの等）であれば何でも良い。
また図１の例示では、栓体５はポート３の内部に配置されているが、ポート３の下部に配置（厳密にいえば、ポート３下部とハウジング２の上段部との間）しても良い。
ポート３とキャップ１０は係合部４、１５（具体的には、突起と溝で、相互に入れ替わっても良い）により係合される。
【００１０】
［ニードルレスアダプター２０］
図５から図９は本発明の混注部材１に装着されるニードルレスアダプター２０（シリンジ２１とアダプター３１より構成される）との概略図で、シリンジ２１は、アダプター３１を着脱できるように形成されている。
シリンジ２１は筒状の本体２２と円筒状のロック部２３とから構成され、ロック部２３の内面には、アダプター３１の後方に形成された接続部３４接続できる接続部２４が形成されている。接続部２４、３４は、例えば、螺旋状の突起または溝部、縦方向の突起または溝部等であっても良い。
アダプター３１は、本体３２の前方に細径のルアー部３３が形成され、後方に接続部３４が形成されている。本体３２の側部に把手として複数のリブ３５が形成されている。図２の例示では、略９０°間隔で４個のリブ３５が形成されている。図５から図７の例示では、リブ３５は翼状に形成されているが、リブ３５の形態もなんでも良く、混注部材１の係合部１２に係合できる形態であれば何でも良い。
アダプター３１は、本体３２の下部に、係合部３６を形成している。
図２の例示では、係合部３６は、矩形の板状に形成しているが、前記混注部材１の天上壁１４に係合して固定できる形態であれば何でも良く、略楕円の板状等に形成しても良い。また本体３２への形成位置も同本体３２の略中腹部から下部の間であれば、どこでも良い。
【００１１】
［使用方法］
混注部材１は、シリンジ２１とアダプター３１からなるニードルレスアダプター２０とともに使用することができる。図９から図１３を参照にして、混注部材１とニードルレスアダプター２０の使用方法の一例について説明する。
（１）図９に例示するように、シリンジ２１にアダプター３１を装着する。シリンジ２１のロック部２３に、アダプター３１の接続部３４を接続する。
（２）図１０から図１１のようにアダプター３１のルアー部３３（注入口）を栓体５に挿入し、図１２のように、アダプター３１を９０°回転させ、リブ３５先端部を、混注部材１の係合部１２に係合し、係合部３６を混注部材１の上部壁１４と栓体５の天面の間に係止する（図１３参照）。さらに詳述すれば係合部３６は、栓体５を上から下に押圧した状態で、混注部材１の上部壁１４と栓体５の天面の間に確実に係止される。
これにより、アダプター３１を動かないように、混注部材１に装着した状態で、薬液を注入することができる。
【図面の簡単な説明】
【００１２】
【図１】本発明の混注部材１の概略図（一部切欠断面図）
【図２】図１の平面図
【図３】図１の一部拡大図
【図４】図２の一部拡大図
【図５】アダプター１１の概略図（平面図）
【図６】図５のＡ−Ａ線断面図、（Ａ）はシリンジ２１の概略図、（Ｂ）は（Ａ）の底面図、（Ｃ）はアダプター３１の概略図、（Ｄ）は（Ｃ）の底面図
【図７】図５の左側面図
【図８】ニードルレスアダプター２０の概略図
【図９】ニードルレスアダプター２０の組立図
【図１０】混注部材１とニードルレスアダプター２０の使用状態図、（Ｂ）は（Ａ）の右側面図
【図１１】混注部材１とニードルレスアダプター２０の使用状態図、（Ｂ）は（Ａ）の右側面図
【図１２】混注部材１とニードルレスアダプター２０の使用状態図、（Ｂ）は（Ａ）の右側面図
【図１３】図１２の一部拡大断面図
【符号の説明】
【００１３】
１  混注部材
２  ハウジング
３  ポート
４  係合部
５  栓体
１０  キャップ
１１  開口部
１２  係合部
１３  側壁
１４  天上壁
１５  係合部
Ｔ  突起
Ｓ  空間
２０  ニードルレスアダプター（アダプター）
２１  シリンジ
２２  本体
２３  ロック部
２４  接続部
２５  注入口
３１  アダプター
３２  本体
３３  ルアー部（注入口）
３４  接続部
３５  リブ
３６  係合部
【図１】
2005224334.tif 000003
【図２】
2005224334.tif 000004
【図３】
2005224334.tif 000005
【図４】
2005224334.tif 000006
【図５】
2005224334.tif 000007
【図６】
2005224334.tif 000008
【図７】
2005224334.tif 000009
【図８】
2005224334.tif 000010
【図９】
2005224334.tif 000011
【図１０】
2005224334.tif 000012
【図１１】
2005224334.tif 000013
【図１２】
2005224334.tif 000014
【図１３】
2005224334.tif 000015